(57)【要約】【課題】加熱線条が引っ張られて変位することを防ぎ、加熱片の配線及び組立てが容易な、発熱ウェアの加熱片及び発熱ウェアの配線構造を提供する。【解決手段】加熱片１は、加熱線条１１と、加熱線条１１の両端に接続された２本の電線１２とを含む。互いに対応した２本の電線１２の対をなす箇所には、折れ曲がった第１の直角１２１が形成される。第１の直角１２１からは水平部１２２の一端が延びる。水平部１２２の他端が折り曲げられて第２の直角１２３が形成される。第２の直角１２３からは垂直部１２４が延びる。２本の電線１２の垂直部１２４が平行に会合し、加熱線条１１及び電線１２の両端面には、被覆片１４がそれぞれ設けられる。被覆片１４間には、加熱線条１１及び電線１２が配設される。２本の電線１２の会合部に対応した被覆片１４には引出線部１４１が設けられる。【選択図】図１
2017045577.tif 000002
【特許請求の範囲】
【請求項１】
発熱ウェアの加熱片であって、
前記加熱片は、加熱線条と、前記加熱線条の両端に接続された２本の電線と、を含み、
互いに対応した前記２本の電線の対をなす箇所には、折れ曲がった第１の直角が形成され、前記第１の直角からは水平部の一端が延び、前記水平部の他端が折り曲げられて第２の直角が形成され、前記第２の直角からは垂直部が延び、前記２本の電線の前記垂直部が平行に会合し、前記加熱線条及び前記電線の両端面には、被覆片がそれぞれ設けられ、前記被覆片間には、前記加熱線条及び前記電線が配設され、前記２本の電線の会合部に対応した前記被覆片には引出線部が設けられ、前記引出線部を介して前記２本の電線の前記垂直部が引き出され、前記被覆片の周辺が封着されることを特徴とする、
発熱ウェアの加熱片。
【請求項２】
前記加熱片は、高融点である２つの固定層を含み、前記固定層は、膜状を呈するとともに、前記加熱線条及び前記電線の両端面と、前記被覆片との間に形成され、前記固定層の前記２本の電線の会合部には、前記引出線部が設けられ、前記固定層から引き出された前記２本の電線の垂直部は、前記固定層の前記引出線部を介して引き出され、前記２つの固定層が熱圧着され、前記２つの固定層間には、前記加熱線条及び前記電線が設けられることを特徴とする請求項１に記載の発熱ウェアの加熱片。
【請求項３】
請求項１に記載の発熱ウェアの加熱片に配線する発熱ウェアの配線構造であって、
前記発熱ウェアは、両側前襟と、前記両側前襟の間に接続された背中部と、を含み、
前記発熱ウェアには、電池ポケット、複数の加熱片、温調スイッチ、電源プラグ及び複数の組立用電線が設けられ、
前記加熱片は、前記発熱ウェアの前記両側前襟及び前記背中部にそれぞれ取り付けられるとともに、被覆片から引き出される引出線の長さを等しくし、
前記温調スイッチは、前記発熱ウェアの側部前襟に取り付けられ、
前記電源プラグは、前記発熱ウェアの前記電池ポケットに取り付けられ、
前記組立用電線を介して前記加熱片、前記温調スイッチ及び前記電源プラグが互いに接続され、
前記組立用電線は、前記加熱片、前記温調スイッチ及び前記電源プラグの電線にそれぞれ接続されるとともに、各種サイズの前記発熱ウェアの前記加熱片、前記温調スイッチ、前記電源プラグ間の間隔に応じた長さを有することを特徴とする、
発熱ウェアの配線構造。
【発明の詳細な説明】
【技術分野】
【０００１】
本発明は、発熱ウェアの加熱片及び発熱ウェアの配線構造に関し、特に、加熱線条が引っ張られて変位することを防ぎ、加熱片の配線及び組立てが容易な、発熱ウェアの加熱片及び発熱ウェアの配線構造に関する。
【背景技術】
【０００２】
着汚れた発熱ウェアを洗浄する場合、発熱ウェアを洗濯機へ入れて洗浄してから乾かすことが一般的であるが、この方式では発熱ウェアが傷んでしまう虞があった。発熱ウェアを洗濯機で洗浄する際、洗濯機の大きな力で衣類が不規則に引っ張られるため、発熱ウェアの加熱片の電線が引っ張られて、接続された加熱線条が一緒に変位してしまう虞があった。加熱挟層中で熱熔融型糊により加熱線条を固定しているものもあったが、熱熔融型糊の融点が低いため、加熱線条の熱エネルギーにより熱熔融型糊が溶解してしまうと固定効果が失われる虞があった。そのため、加熱線条が引っ張られて変位し、加熱片が引っ張り出されてしまう状況を改善することはできなかった。
そのため、図７に示すように、一部のメーカーでは、加熱片６の加熱線条６１と接続された電線６２を手作業により縫い糸６３で縫着し、加熱線条６１及び電線６２を加熱片６上に固定している。これにより、電線６２が力を受けて引っ張られたときに、加熱線条６１が加熱片６の外部へ引っ張り出されることを防ぐことができるが、このような製作方式には多くの手間と時間がかかり、生産効率が良くなかった。
【０００３】
従来の発熱ウェアは、体型が異なる消費者でもそれぞれ着ることができるように、様々なサイズのものが製作されており、主に発熱ウェアの前襟及び背中の部分にそれぞれ加熱片が設けられている。各加熱片には、１本の電線が挿着され、その電線は温調スイッチ及び電源プラグに接続され、様々なサイズの発熱ウェアに用いられていた。
しかし従来の発熱ウェアに接続された加熱片、温調スイッチなどの部材の電線の長さは、最大サイズの発熱ウェアを基準にしているため、小さめのサイズの発熱ウェアに応用する場合、電線が長すぎて発熱ウェアを製作する際に加熱装置の組立てが容易でなく、長すぎる電線が発熱ウェアのライニング中で曲がってしまう上、発熱ウェアを洗濯機で洗浄すると、洗濯機の強力な撹拌力により発熱ウェアが引っ張られ、曲がった電線が引っ張られて断線し、発熱ウェアの使用寿命が短くなってしまう虞があった。
【発明の概要】
【発明が解決しようとする課題】
【０００４】
本発明の目的は、加熱線条が引っ張られて変位することを防ぐ上、加熱片などを発熱ウェアに取り付ける際、各種サイズの発熱ウェアの各加熱片の間隔に対応するように、加熱片間の組立用電線の長さを調整して組立の利便性を高める、発熱ウェアの加熱片及び発熱ウェアの配線構造を提供することにある。
【課題を解決するための手段】
【０００５】
上記課題を解決するための本発明の第１の形態によれば、発熱ウェアの加熱片であって、前記加熱片は、加熱線条と、前記加熱線条の両端に接続された２本の電線と、を含み、互いに対応した前記２本の電線の対をなす箇所には、折れ曲がった第１の直角が形成され、前記第１の直角からは水平部の一端が延び、前記水平部の他端が折り曲げられて第２の直角が形成され、前記第２の直角からは垂直部が延び、前記２本の電線の前記垂直部が平行に会合し、前記加熱線条及び前記電線の両端面には、被覆片がそれぞれ設けられ、前記被覆片間には、前記加熱線条及び前記電線が配設され、前記２本の電線の会合部に対応した前記被覆片には引出線部が設けられ、前記引出線部を介して前記２本の電線の前記垂直部が引き出され、前記被覆片の周辺が封着されることを特徴とする発熱ウェアの加熱片が提供される。
【０００６】
前記加熱片は、高融点である２つの固定層を含み、前記固定層は、膜状を呈するとともに、前記加熱線条及び前記電線の両端面と、前記被覆片との間に形成され、前記固定層の前記２本の電線の会合部には、前記引出線部が設けられ、前記固定層から引き出された前記２本の電線の垂直部は、前記固定層の前記引出線部を介して引き出され、前記２つの固定層が熱圧着され、前記２つの固定層間には、前記加熱線条及び前記電線が設けられることが好ましい。
【０００７】
上記課題を解決するための本発明の第２の形態によれば、本発明の第１の形態に記載の発熱ウェアの加熱片に配線する発熱ウェアの配線構造であって、前記発熱ウェアは、両側前襟と、前記両側前襟の間に接続された背中部と、を含み、前記発熱ウェアには、電池ポケット、複数の加熱片、温調スイッチ、電源プラグ及び複数の組立用電線が設けられ、前記加熱片は、前記発熱ウェアの前記両側前襟及び前記背中部にそれぞれ取り付けられるとともに、被覆片から引き出される引出線の長さを等しくし、前記温調スイッチは、前記発熱ウェアの側部前襟に取り付けられ、前記電源プラグは、前記発熱ウェアの前記電池ポケットに取り付けられ、前記組立用電線を介して前記加熱片、前記温調スイッチ及び前記電源プラグが互いに接続され、前記組立用電線は、前記加熱片、前記温調スイッチ及び前記電源プラグの電線にそれぞれ接続されるとともに、各種サイズの前記発熱ウェアの前記加熱片、前記温調スイッチ、前記電源プラグ間の間隔に応じた長さを有することを特徴とする発熱ウェアの配線構造が提供される。
【発明の効果】
【０００８】
本発明の発熱ウェアの加熱片及び発熱ウェアの配線構造は、加熱線条が引っ張られて変位することを防ぐ上、加熱片などを発熱ウェアに取り付ける際、各種サイズの発熱ウェアの各加熱片の間隔に対応するように、加熱片間の組立用電線の長さを調整し、組立の利便性を高める。
【図面の簡単な説明】
【０００９】
【図１】本発明の一実施形態に係る発熱ウェアの加熱片を示す正面図である。
【図２】本発明の一実施形態に係る発熱ウェアの加熱片を示す断面図である。
【図３】本発明の一実施形態に係る発熱ウェアの配線状態を示す正面図である。
【図４】本発明の他の実施形態に係る発熱ウェアの配線状態を示す説明図である。
【図５】本発明の他の実施形態に係る発熱ウェアの配線状態を示す正面図である。
【図６】本発明の他の実施形態に係る発熱ウェアの加熱片を示す正面図である。
【図７】従来の加熱片を示す正面図である。
【発明を実施するための形態】
【００１０】
以下、本発明の実施形態について図に基づいて説明する。なお、これによって本発明が限定されるものではない。
【００１１】
まず、図１及び図２を参照する。図１及び図２に示すように、本発明の一実施形態に係る発熱ウェアの加熱片１は、加熱線条１１と、加熱線条１１の両端に接続された２本の電線１２と、を含む。
互いに対応した２本の電線１２の対をなす箇所には、折れ曲がった第１の直角１２１が形成されている。第１の直角１２１からは水平部１２２の一端が延び、水平部１２２の他端が折り曲げられて第２の直角１２３が形成され、第２の直角１２３からは垂直部１２４が延び、２本の電線１２の垂直部１２４が平行に会合し、加熱線条１１及び電線１２の両端面には、高融点の固定層１３がそれぞれ形成されている。固定層１３は、膜状を呈する。膜状の固定層１３は、２本の電線１２の会合部に位置し、貫通孔を呈する引出線部１３１を有し、２本の電線１２の垂直部１２４が引出線部１３１から引き出され、２つの固定層１３が熱圧着され、２つの固定層１３間に加熱線条１１及び電線１２が挟設される。２つの固定層１３の外側には被覆片１４がそれぞれ設けられ、被覆片１４の対応した２本の電線１２の会合部には、貫通孔を呈する引出線部１４１が設けられ、固定層１３から引き出された２本の電線１２の垂直部１２４は、被覆片１４の引出線部１４１を介して引き出され、２つの被覆片１４の周辺が縫着される。
【００１２】
図３を併せて参照する。本実施形態の加熱片１の２本の電線１２の垂直部１２４から延びた被覆片１４の長さは、固定長さである。本実施形態の加熱片１は、固定規格のモジュール設計であり、本実施形態の加熱片１を発熱ウェアに取り付けると、それぞれ異なるサイズの発熱ウェアの加熱片１の間隔に対応するように、それらの間を接続する組立用電線２の長さを調整する。
【００１３】
図４及び図５を併せて参照する。本実施形態の加熱片１を発熱ウェア３に応用し、加熱片１、温調スイッチ４、電源プラグ５間を組立用電線２で接続する実施例を以下説明する。
発熱ウェア３を両側の前襟３１と、両側の前襟３１間とに配設し、両側の前襟３１とそれに接続された背中部３２とに加熱片１がそれぞれ設けられ、複数の加熱片１が被覆片１４から引き出される長さを等しくし、発熱ウェア３の一側の前襟３１には温調スイッチ４が取付けられ、発熱ウェア３には電池ポケット３３が設けられている。電池ポケット３３には、電源プラグ５が取り付けられる。複数の組立用電線２は、各加熱片１、温調スイッチ４、電源プラグ５間にそれぞれ接続され、加熱片１の電線１２を温調スイッチ４及び電源プラグ５の電線に接続し、各加熱片１、温調スイッチ４及び電源プラグ５により導電回路を形成し、様々なサイズの発熱ウェア３の各加熱片１、温調スイッチ４、電源プラグ５間の距離に応じた長さに調整した組立用電線２によりそれらを互いに接続する。
【００１４】
以下、配線構造について詳しく述べる。発熱ウェア３の左側前襟３１の加熱片１と、背中部３２の加熱片１との間の距離がＡである場合、Ａの距離に対応するように第１の組立用電線２１の長さを調整し、第１の組立用電線２１を発熱ウェア３の左側前襟３１及び背中部３２の加熱片１の電線１２に接続する。発熱ウェア３の背中部３２の加熱片１と発熱ウェア３の右側前襟３１の加熱片１との間の距離がＢである場合、Ｂの距離に対応するように第２の組立用電線２２の長さを調整し、第２の組立用電線２２を発熱ウェア３の右側前襟３１及び背中部３２の加熱片１の電線１２に接続し、温調スイッチ４を発熱ウェア３の右側前襟３１に取付け、発熱ウェア３が右側前襟３１に位置する加熱片１との間の距離がＣである場合、Ｃの距離に対応するように第３の組立用電線２３の長さを調整し、第３の組立用電線２３を発熱ウェア３の右側前襟３１の加熱片１の電線１２及び温調スイッチ４の電線と接続し、温調スイッチ４と、発熱ウェア３の電池ポケット３３に取り付けた電源プラグ５との間の距離がＤである場合、Ｄの距離に対応するように第４の組立用電線２４の長さを調整し、第４の組立用電線２４を温調スイッチ４及び電源プラグ５の電線に接続する。この構成により、様々なサイズの発熱ウェア３の各加熱片１、温調スイッチ４、電源プラグ５間の距離に対応するように、組立用電線２の長さを適宜調整して接続する。
【００１５】
このように、本発明の発熱ウェアの加熱片及び発熱ウェアの配線構造は、組立用電線２が長すぎて発熱ウェア３の組立てが不便になることを防ぐ上、組立用電線２が長すぎて発熱ウェア３のライニング中で曲がることを防ぐこともできる。
発熱ウェア３を洗濯機で洗浄する際、発熱ウェア３が洗濯機の強力な撹拌力で引っ張られると、曲がった電線が容易に引っ張られて断線することがあるが、本発明の加熱片１の２本の電線１２は、第１の直角１２１、水平部１２２、第２の直角１２３及び垂直部１２４により構成された折り曲げ構造からなる。このような折り曲げ構造により、加熱片１の電線１２の垂直部１２４が力を受けて引っ張られると、この引っ張られる力が第２の直角１２３により分散され、引っ張る力が垂直部１２４及び第２の直角１２３に作用するとともに、残部の力が水平部１２２に伝わり、第２の直角１２３で再び分散される。このように電線１２と組み合わされた加熱線条１１が力を受けて引っ張られ、不用意に変位することを効果的に防ぐことができる。
本実施形態は、高融点の固定層１３により加熱線条１１及び電線１２を挟持し、加熱線条１１を強固に固定し、加熱線条１１が引っ張られて変位したり、加熱片１が引っ張り出されたりすることを防ぐことができる。
【００１６】
図６を併せて参照する。本発明の他の実施形態に係る発熱ウェアの加熱片１の膜状を呈する固定層１３の側辺には、２本の電線１２に至るまでカットされた会合部が形成され、スリット状の引出線部１３１を介して２本の電線１２が引っ張り出され、被覆片１４の対応した２本の電線１２の会合部には、スリット状の引出線部１４１が形成され、固定層１３が引っ張り出された２本の電線１２が被覆片１４のスリット状の引出線部１４１から外側へ引っ張り出され、被覆片１４のスリット状の引出線部１４１が縫合されてホール状の引出線部１４１が形成されているため、加熱片１の２本の電線１２を容易に引っ張り出すことができる。
【符号の説明】
【００１７】
１      加熱片
２      組立用電線
３      発熱ウェア
４      温調スイッチ
５      電源プラグ
６      加熱片
１１    加熱線条
１２    電線
１３    固定層
１４    被覆片
２１    第１の組立用電線
２２    第２の組立用電線
２３    第３の組立用電線
２４    第４の組立用電線
３１    前襟
３２    背中部
３３    電池ポケット
６１    加熱線条
６２    電線
６３    縫い糸
１２１  第１の直角
１２２  水平部
１２３  第２の直角
１２４  垂直部
１３１  引出線部
１４１  引出線部
【図１】
2017045577.tif 000003
【図２】
2017045577.tif 000004
【図３】
2017045577.tif 000005
【図４】
2017045577.tif 000006
【図５】
2017045577.tif 000007
【図６】
2017045577.tif 000008
【図７】
2017045577.tif 000009
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
発熱ウェアの加熱片であって、
前記加熱片は、加熱線条と、前記加熱線条の両端に接続された２本の電線と、を含み、
互いに対応した前記２本の電線の対をなす箇所には、折れ曲がった第１の直角が形成され、前記第１の直角からは水平部の一端が延び、前記水平部の他端が折り曲げられて第２の直角が形成され、前記第２の直角からは垂直部が延び、前記２本の電線の前記垂直部が平行に会合し、
前記加熱線条及び前記電線の両端面には、被覆片がそれぞれ設けられ、
前記被覆片間には、前記加熱線条及び前記電線が配設され、
片方の前記被覆片の周辺以外の部分の、前記２本の電線の会合部に対応した位置には引出線部が設けられ、
前記引出線部を介して前記２本の電線の前記垂直部が引き出され、
前記被覆片の周辺が封着されることを特徴とする、
発熱ウェアの加熱片。
【請求項２】
前記加熱片は、高融点である２つの固定層を含み、前記固定層は、膜状を呈するとともに、前記加熱線条及び前記電線の両端面と、前記被覆片との間に形成され、前記固定層の前記２本の電線の会合部には、前記引出線部が設けられ、前記固定層から引き出された前記２本の電線の垂直部は、前記固定層の前記引出線部を介して引き出され、前記２つの固定層が熱圧着され、前記２つの固定層間には、前記加熱線条及び前記電線が設けられることを特徴とする請求項１に記載の発熱ウェアの加熱片。
【請求項３】
請求項１に記載の発熱ウェアの加熱片に配線する発熱ウェアの配線構造であって、
前記発熱ウェアは、両側前襟と、前記両側前襟の間に接続された背中部と、を含み、
前記発熱ウェアには、電池ポケット、複数の加熱片、温調スイッチ、電源プラグ及び複数の組立用電線が設けられ、
前記加熱片は、前記発熱ウェアの前記両側前襟及び前記背中部にそれぞれ取り付けられるとともに、被覆片から引き出される引出線の長さを等しくし、
前記温調スイッチは、前記発熱ウェアの側部前襟に取り付けられ、
前記電源プラグは、前記発熱ウェアの前記電池ポケットに取り付けられ、
前記組立用電線を介して前記加熱片、前記温調スイッチ及び前記電源プラグが互いに接続され、
前記組立用電線は、前記加熱片、前記温調スイッチ及び前記電源プラグの電線にそれぞれ接続されるとともに、各種サイズの前記発熱ウェアの前記加熱片、前記温調スイッチ、前記電源プラグ間の間隔に応じた長さを有することを特徴とする、
発熱ウェアの配線構造。